(57)【要約】【課題】本発明は、マルチバンドＯＦＤＭシステムに関し、より詳細には、相対的に正確なＣＣＡ性能の提供を可能にするマルチバンドシステムにてＣＣＡ機能を実行する方法および装置に関する。【解決手段】ＯＦＤＭシステムにて実行されるＣＣＡ方法は、二つの移動平均ウィンドウ周期で各ウィンドウにて受信信号のエネルギーを測定する段階と、前記二つの移動平均ウィンドウ周期に対して測定されたエネルギーの差に基づいてピーク値を検出し、前記検出されたピーク値の数を累積する段階と、前記累積したピーク値の数によってチャンネル状態をＭＡＣに報告する段階と、を含み、前記ピーク値は少なくとも一つのＯＦＤＭシンボルのリーディングエッジや立ち下がりエッジにて検出される。【選択図】図１
2008099232.tif 000002
【特許請求の範囲】
【請求項１】
ＯＦＤＭシステムにて実行されるＣＣＡ方法において、
二つの移動平均ウィンドウ周期で第１ウィンドウにて受信信号の第１エネルギーを測定し、二つの移動平均ウィンドウの第２ウィンドウにて受信信号の第２エネルギーを測定する段階と、
前記二つの移動平均ウィンドウに対して測定された第１および第２エネルギーの差に基づいてピーク値を検出し、前記検出されたピーク値の数を累積する段階と、
前記累積したピーク値の数によってチャンネル状態をＭＡＣに報告する段階と、
を含むことを特徴とするＣＣＡ方法。
【請求項２】
前記二つの各移動平均ウィンドウは、
互いに同じ時間周期を有しており、前記時間周期がＴＦＣによって設定されることを特徴とする請求項１に記載のＣＣＡ方法。
【請求項３】
前記ＯＦＤＭシステムは、
各チャンネル当たり３つの周波数バンドを含むマルチバンドを用いるマルチバンドＯＦＤＭシステムであることを特徴とする請求項１に記載のＣＣＡ方法。
【請求項４】
前記ＯＦＤＭシステムは、
前記複数の周波数バンドの間で少なくとも一つのＯＦＤＭシンボル単位で周波数ホッピングすることを特徴とする請求項１に記載のＣＣＡ方法。
【請求項５】
前記検出されたピーク値の数を累積した後にＣＣＡ報告をするための時間周期が開始するかを判断する段階と、
前記判断結果、前記ＣＣＡ報告をするための時間周期が開始されると、前記累積したピーク値の数を既設定された臨界値と比較する段階と、
前記比較結果によってチャンネル状態を決定する段階と、
をさらに含むことを特徴とする請求項１に記載のＣＣＡ方法。
【請求項６】
前記ＣＣＡ報告時間は、
１８ＯＦＤＭシンボル期間で反復し、前記チャンネル状態が前記ＭＡＣに報告される少なくとも１ＯＦＤＭシンボル以上の期間であることを特徴とする請求項５に記載のＣＣＡ方法。
【請求項７】
前記既設定された臨界値は、
最大累積ピーク値の数より小さく、ＴＦＣによって設定されることを特徴とする請求項５に記載のＣＣＡ方法。
【請求項８】
前記報告段階は、
前記累積したピーク値の数が前記既設定された臨界値より大きければ、前記チャンネルがビジー状態であることをＭＡＣに報告する段階、
を含むことを特徴とする請求項５に記載のＣＣＡ方法。
【請求項９】
前記報告する段階は、
前記累積したピーク値の数が前記既設定された臨界値以下であれば、前記チャンネルがビジー状態でないことを前記ＭＡＣに報告する段階、
を含むことを特徴とする請求項５に記載のＣＣＡ方法。
【請求項１０】
各チャンネル当たり複数の周波数バンドを用いる場合に、前記複数の周波数バンドのいずれか一つの周波数バンドに対してのみ前記二つの移動平均ウィンドウを適用することを特徴とする請求項１に記載のＣＣＡ方法。
【請求項１１】
各チャンネル当たり複数の周波数バンドを用いる場合に、周波数ホッピングする少なくとも一つのＯＦＤＭシンボル単位の期間を前記移動平均ウィンドウの時間周期として設定することを特徴とする請求項１に記載のＣＣＡ方法。
【請求項１２】
各チャンネル当たり単一の周波数バンドを用いる場合、６４サンプル単位の期間を前記移動平均ウィンドウの時間周期として設定することを特徴とする請求項１に記載のＣＣＡ方法。
【請求項１３】
請求項１ないし１２のいずれか一項の方法を実行させるためのプログラムを記録したコンピュータ読み取り可能な記録媒体。
【請求項１４】
ＯＦＤＭシステムにてＣＣＡを実行するための装置において、
二つの移動平均ウィンドウ周期で第１ウィンドウにて受信信号の第１エネルギーを測定し、二つの移動平均ウィンドウの第２ウィンドウにて受信信号の第２エネルギーを測定する測定部と、
前記二つの移動平均ウィンドウに対して測定された第１および第２エネルギーの差に基づいてピーク値を検出し、前記検出されたピーク値の数を累積する検出部と、
前記累積したピーク値の数によってチャンネル状態をＭＡＣに報告する報告部と、
を含むことを特徴とするＣＣＡ装置。
【請求項１５】
前記二つの移動平均ウィンドウは、
互いに同じ時間周期を有しており、前記時間周期がＴＦＣによって測定されることを特徴とする請求項１４に記載のＣＣＡ装置。
【請求項１６】
前記ＯＦＤＭシステムは、
各チャンネル当たり３つの周波数バンドを含むマルチバンドを用いるマルチバンドＯＦＤＭシステムであることを特徴とする請求項１４に記載のＣＣＡ装置。
【請求項１７】
前記検出されたピーク値の数を累積した後にＣＣＡ報告をするための時間周期が開始するかを判断する判断部と、
前記ＣＣＡ報告をするための時間周期が開始されると、前記累積したピーク値の数を既設定された臨界値と比較する比較部と、
前記比較部の比較結果によってチャンネル状態を決定する決定部と、
を含むことを特徴とする請求項１４に記載のＣＣＡ装置。
【請求項１８】
前記ＣＣＡ報告時間は、
１８ＯＦＤＭシンボル期間で反復し、前記チャンネル状態が前記ＭＡＣに報告される少なくとも１ＯＦＤＭシンボル以上の期間であることを特徴とする請求項１７に記載のＣＣＡ装置。
【請求項１９】
前記臨界値は、
最大累積ピーク値の数より少なく、ＴＦＣによって設定されることを特徴とする請求項１７に記載のＣＣＡ装置。
【請求項２０】
前記報告部は、
前記累積したピーク値の数が前記既設定された臨界値より大きければ、前記チャンネルがビジー状態であることを前記ＭＡＣに報告することを特徴とする請求項１７に記載のＣＣＡ装置。
【請求項２１】
前記報告部は、
前記累積したピーク値の数が前記既設定された臨界値以下であれば、前記チャンネルがビジー状態でないことを前記ＭＡＣに報告することを特徴とする請求項１７に記載のＣＣＡ装置。
【請求項２２】
各チャンネル当たり複数の周波数バンドを用いる場合、前記複数の周波数バンドのいずれか一つの周波数バンドに対してのみ前記二つの移動平均ウィンドウを適用することを特徴とする請求項１４に記載のＣＣＡ装置。
【請求項２３】
各チャンネル当たり複数の周波数バンドを用いる場合、周波数ホッピングする少なくとも一つのＯＦＤＭシンボル単位の期間を前記移動平均ウィンドウの時間周期として設定することを特徴とする請求項１４に記載のＣＣＡ装置。
【請求項２４】
各チャンネル当たり単一の周波数バンドを用いる場合、６４サンプル単位の期間を前記移動平均ウィンドウの時間周期として設定することを特徴とする請求項１４に記載のＣＣＡ装置。
【発明の詳細な説明】
【技術分野】
【０００１】
本発明は、マルチバンド（Multi-Band）ＯＦＤＭ（Orthogonal Frequency Division Multiplexing）システムに関し、より詳細には、相対的に正確なＣＣＡ（Clear Channel Assessment）性能の提供を可能にするマルチバンドＯＦＤＭシステムにてＣＣＡ機能を実行する方法および装置に関する。
【背景技術】
【０００２】
一般的に、マルチバンドＯＦＤＭとは、ＯＦＤＭシンボルを複数の周波数帯域でシンボル単位でホッピングしながら信号を伝送する方式であり、特にＵＷＢシステムなどの特定無線通信システムに用いられる変調技術である。マルチバンドＯＦＤＭシステムは、一定した周波数帯域を有する複数の周波数バンドを用いてデータを伝送することで、単位時間当たり多くのデータを送受信することができる。
【０００３】
前記マルチバンドＯＦＤＭシステムは、使用しようとする周波数バンドが他の装置によって使用中であるかを検索する役割を行うＣＣＡ機能を提供するものであり、その方法は、相互相関およびエネルギー検出を用いたものに大きく区分される。前記相互相関方法は、その性能がチャンネルに関係なく優れているものの、プリアンブル（Preamble）にのみ作用が可能であるため、無作為なＣＣＡ検出時点を考慮するとき、１５ＯＦＤＭシンボルの長さに該当する４．６８７５μｓで信号を検出することが困難である。
【０００４】
しかし、前記エネルギー検出方法は、受信信号のエネルギーのサイズを求めて特定の臨界値と比較する方式であるため、前記受信信号がプリアンブルであるかペイロード（Payload）であるかに関係なく提供が容易であるという長所を有している。したがって、前記のようなエネルギー検出方法を用いてチャンネル状態を正確に決定しようという努力が継続している。
【発明の開示】
【発明が解決しようとする課題】
【０００５】
本発明は、前述したような従来技術の問題点を解決するために案出されたものであって、検出されたピーク値に基づいてチャンネル環境に関係なくチャンネル状態を正確に決定するために、ＴＦＣ（Time Frequency Code）によって設定された二つの移動平均（Moving-Average）ウィンドウを用いて受信信号のエネルギーをそれぞれ測定し、測定されたエネルギーの差に基づいてピーク値を検出してチャンネル状態の決定を可能にするマルチバンドシステムにてＣＣＡ機能を実行する方法および装置を提供することを目的とする。
【課題を解決するための手段】
【０００６】
前述の目的を達成するために、本発明の一実施形態に係るＯＦＤＭシステムにて実行されるＣＣＡ方法は、二つの移動平均ウィンドウ周期で各ウィンドウにて受信信号のエネルギーを測定する段階と、前記二つの移動平均ウィンドウに対して測定されたエネルギーの差に基づいてピーク値を検出し、前記検出されたピーク値の数を累積する段階と、前記累積したピーク値の数によってチャンネル状態をＭＡＣ（Medium Access Control）に保護する段階と、を含み、前記ピーク値は少なくとも一つのＯＦＤＭシンボルのリーディングエッジ（Leading Edge）や立ち下がりエッジ（Falling Edge）にて検出されることを特徴とする。
【０００７】
また、前記目的を達成するために、本発明の一実施形態に係るＯＦＤＭシステムにてＣＣＡを実行するための装置は、二つの移動平均ウィンドウ周期で各ウィンドウにて受信信号のエネルギーを測定する測定部と、前記二つの移動平均ウィンドウに対して測定されたエネルギーの差に基づいてピーク値を検出し、前記検出されたピーク値の数を累積する検出部と、前記累積したピーク値の数によってチャンネル状態をＭＡＣに保護する保護部と、を含み、前記ピーク値は少なくとも一つのＯＦＤＭシンボルのリーディングエッジや立ち下がりエッジにて検出されることを特徴とする。
【発明の効果】
【０００８】
本発明の一実施形態に係るマルチバンドＯＦＤＭシステムにてＣＣＡ機能を提供する方法および装置は、ＴＦＣによって設定された少なくとも二つの移動平均ウィンドウを用いて受信信号のエネルギーをそれぞれ測定し、測定されたエネルギーの差に基づいてピーク値を検出してチャンネル状態を決定することで、検出されたピーク値に基づいてチャンネル環境に関係なくチャンネル状態を正確に決定することができるという効果がある。
【発明を実施するための最良の形態】
【０００９】
以下、添付の図面に基づき、本発明の好適な実施の形態を詳細に説明するが、本発明がこれらの実施形態によって制限または限定されることはない。図中、同じ参照符号は同じ部材を示す。
【００１０】
図１は、本発明の一実施形態に係るＣＣＡ機能を提供する方法を示したフローチャートである。
【００１１】
図１に示されたように、本発明の一実施形態に係るＣＣＡ機能を提供する方法は、移動平均ウィンドウの時間周期を設定する段階１１０と、受信信号のエネルギーを測定する段階１２０と、ピーク値を検出する段階１３０と、検出されたピーク値の数を累積する段階１４０と、ＣＣＡ報告時間であるかを判断する段階１５０と、累積したピーク値の数と既設定された臨界値を比較する段階１６０と、チャンネル状態を決定する段階１７０と、決定されたチャンネル状態を報告する段階１８０と、を含み得る。ここで、前記ＣＣＡ機能は、マルチバンドＯＦＤＭシステムに適用可能である。
【００１２】
前記のような本発明の一実施形態に係るＣＣＡ機能を提供する方法を詳しく説明する。
【００１３】
まず、段階１１０で、ＴＦＣによって二つの移動平均ウィンドウの時間周期を設定する。前記各移動平均ウィンドウは互いに同じ時間周期を有しており、前記時間周期がＴＦＣの変更によって異なって設定されることもある。
【００１４】
段階１２０で、前記設定された二つの移動平均ウィンドウ周期で各ウィンドウにて受信信号のエネルギーを測定する。各二つの移動平均ウィンドウに対して、複数の周波数バンドを含むマルチバンドのいずれか一つの周波数バンドから受信信号のエネルギーを測定し得る。
【００１５】
段階１３０で、前記測定されたエネルギーに基づいてピーク値を検出し、段階１４０で、検出された値の数を累積する。すなわち、ＣＣＡ測定時間（Estimation Time）内に前記ピーク値を検出する。
【００１６】
このように、前記ＴＦＣによって異なって設定された少なくとも二つの移動平均ウィンドウを用い、一つのＯＦＤＭシンボル単位で周波数ホッピングをする場合に前記ピーク値を検出する原理を、ＣＣＡ検出のための時間周期の開始時点が異なる図２ないし図４を参照して説明する。
【００１７】
図２ないし図４は、本発明の一実施形態によって一つのＯＦＤＭシンボル単位で周波数ホッピングをする場合にピーク値を検出する原理を説明するための図である。
【００１８】
図２ないし図４に示されたように、一つのＯＦＤＭシンボル単位で周波数ホッピングをする場合に二つの移動平均ウィンドウを設定し、前記設定された二つの移動平均ウィンドウを用いて、バンド１、バンド２、バンド３を含む複数の周波数バンドなどのマルチバンドのいずれか一つの周波数バンド、例えば、バンド１から受信信号のエネルギーを測定する。前記測定されたエネルギーに基づいてピーク値を検出し、前記ピーク値は前記一つのＯＦＤＭシンボルそれぞれのリーディングエッジや立ち下がりエッジにて検出されることを知ることができる。
【００１９】
例えば、本発明は、１８ＯＦＤＭシンボル単位のＣＣＡ検出時間（Detect Time）、すなわち５．６２５μsを有し、１５ＯＦＤＭシンボル内のＣＣＡ評価時間、すなわち４．６８７５μsと３ＯＦＤＭシンボル内のＣＣＡ報告時間（Report Time）に大きく区分される。前記一つのＯＦＤＭシンボル単位の期間である前記各二つの移動平均ウィンドウの時間周期は１６５サンプル期間である。ここで、バンド１から受信信号のエネルギーを測定するとき、３ＯＦＤＭシンボル当たり１ＯＦＤＭシンボル期間内に乗せられるデータにより、３ＯＦＤＭシンボル周期のうち１ＯＦＤＭシンボル期間内に大きいエネルギーを検出することで、前記二つの移動平均ウィンドウそれぞれにて測定されるエネルギーの差は、図２ないし図４のように、各ＯＦＤＭシンボルのリーディングエッジおよび立ち下がりエッジにてピーク値を有する。ここで、前記ピーク値とは、二つの移動平均ウィンドウそれぞれにて測定されたエネルギーのうち、大きいエネルギーから小さいエネルギーを引くことによって現れる最大値であって、所定の臨界値より大きい値である場合を言う。
【００２０】
また、受信信号の開始時点が図２ないし図４のように様々に変化する場合を考慮するとき、前記ＣＣＡ評価時間内に互いに異なる個数の最大累積ピーク値の数が検出される。すなわち、図２ないし図３では９個のピーク値が、図４では１０個のピーク値が検出される。
【００２１】
このような方法は、前記二つの移動平均ウィンドウを用いて前記一つのＯＦＤＭシンボルそれぞれのリーディングエッジや立ち下がりエッジにてピーク値を検出することで、前記ＣＣＡ評価時間内に検出されたピーク値に基づいてチャンネル状態を正確に決定することができる。
【００２２】
以下、二つのＯＦＤＭシンボル単位で周波数ホッピングをする場合に前記ピーク値を検出する原理を、ＣＣＡ検出時点が異なる図５ないし図１０を参照して説明する。
【００２３】
図５ないし図１０は、本発明の一実施形態によって二つのＯＦＤＭシンボル単位で周波数ホッピングをする場合にピーク値を検出する原理を説明するための図である。
【００２４】
図５ないし図１０に示されたように、二つの移動平均ウィンドウを設定し、前記設定された二つの移動平均ウィンドウを用いて、バンド１、バンド２、バンド３を含む複数の周波数バンドなどのマルチバンドのいずれか一つの周波数バンド、例えば、バンド１から二つのＯＦＤＭシンボル単位で受信信号のエネルギーを測定する。前記測定されたエネルギーに基づいてピーク値を検出するが、前記ピーク値は前記２ＯＦＤＭシンボルそれぞれのリーディングエッジや立ち下がりエッジにて検出されることを知ることができる。
【００２５】
例えば、本発明は、前記二つのＯＦＤＭシンボル単位で周波数ホッピングをするため、前記二つのＯＦＤＭシンボル単位である二つの移動平均ウィンドウを設定する。前記設定された各移動平均ウィンドウの時間周期は３３０サンプル期間である。ここで、バンド１から受信信号のエネルギーを測定するとき、６ＯＦＤＭシンボル当たり２ＯＦＤＭシンボル期間内に乗せられるデータにより、６ＯＦＤＭシンボル周期のうち２ＯＦＤＭシンボル期間内に大きいエネルギーを検出することで、前記二つの移動平均ウィンドウそれぞれにて測定されるエネルギーの差は、図５ないし図１０のように、各２ＯＦＤＭシンボルのリーディングエッジおよび立ち下がりエッジにてピーク値を有する。ここでも、ピーク値とは、二つの移動平均ウィンドウそれぞれにて測定されたエネルギーのうち、大きいエネルギーから小さいエネルギーを引くことによって現れる最大値であって、所定の臨界値より大きい値である場合を言う。
【００２６】
また、本発明は、ＣＣＡ検出のための時間周期の開始時点が異なる点を考慮するとき、前記ＣＣＡ評価時間内に互いに異なる個数の最大累積ピーク値の数が検出される。すなわち、図５と図１０では５個のピーク値が、図６ないし図９では４個のピーク値が検出される。
【００２７】
以下、周波数ホッピングをしない場合に前記ピーク値を検出する原理を図１１を参照して説明する。
【００２８】
図１１は、本発明の一実施形態に係るピーク値を検出する原理を説明するための図である。
【００２９】
図１１に示されたように、周波数ホッピングをしない場合に二つの移動平均ウィンドウを設定し、前記設定された二つの移動平均ウィンドウを用いて受信信号のエネルギーを測定することができる。前記測定されたエネルギーに基づいてピーク値を検出することができるが、前記ピーク値は、当業者にとっては明白なことだが、前記一つのＯＦＤＭシンボルそれぞれのリーディングエッジや立ち下がりエッジにて検出される。すなわち、前記ピーク値は、ＯＦＤＭシンボル単位ごとにあるガードインターバル（Guard Interval）、例えば、３２サンプル期間を用いて検出され得る。
【００３０】
例えば、本発明は、前記二つのＯＦＤＭシンボル単位で周波数ホッピングをしないため、既設定された時間周期を有するように二つの移動平均ウィンドウを設定することがあるが、ＯＦＤＭシンボルが連続して現れるため、前記二つの移動平均ウィンドウの時間周期は６４サンプル期間であってもよい。
【００３１】
再び図１において、前記検出されたピーク値の数を累積した後、段階１５０で、ＣＣＡ報告のための時間周期が開始したかを判断する。すなわち、本発明の一実施形態に係るピーク値を検出するための１５ＯＦＤＭシンボル単位のＣＣＡ評価時間、すなわち、４．６８７５μsが経過したかを判断する。
【００３２】
段階１６０で、前記累積したピーク値の数と既設定された臨界値Ｋを比較し、段階１７０で、前記比較結果によってチャンネル状態を決定する。すなわち、前記累積したピーク値の数が前記既設定された臨界値より大きければ、段階１７１で、前記チャンネルがビジー（busy）状態であり他の装置によって使用されていると決定することができ、前記累積したピーク値の数が前記既設定された臨界値以下であれば、段階１７２で、前記チャンネルがビジー状態でなく他の装置によって使用されていないと決定することができる。ここで、前記臨界値は最大累積ピーク値の数より小さく、前記ＴＦＣごとに異なって設定されてもよい。
【００３３】
段階１８０で、前記決定されたチャンネル状態を前記ＭＡＣに報告する。すなわち、前記チャンネルが使用されていることを知らせるために前記ＣＣＡ＿ＳＴＡＴＵＳ値を「１」に設定して前記ＭＡＣに報告したり、前記累積したピーク値の数が前記既設定された臨界値以下であれば、前記チャンネルが使用されていないことを知らせるために前記ＣＣＡ＿ＳＴＡＴＵＳ値を「０」に設定して前記ＭＡＣに報告したりし得る。
【００３４】
本発明は、前記二つの移動平均ウィンドウを用いて定められたＣＣＡ検出時間内に最大数のピーク値を発生させてＣＣＡ機能をより一層正確かつ安定的に提供することができるという長所を有する。以下、本発明の一実施形態に係るＣＣＡ機能を提供する装置を図１２を参照して説明する。
【００３５】
図１２は、本発明の一実施形態に係るＣＣＡ装置１２００を示す構成図である。
【００３６】
図１２に示されたように、本発明の一実施形態に係るＣＣＡ装置１２００は、受信信号のエネルギーを測定する測定部１１０と、ピーク値を検出する検出部１２０と、ＣＣＡ報告時間を判断する判断部１３０と、累積ピーク値の数を臨界値と比較する比較部１４０と、チャンネル状態を決定する決定部１５０と、決定されたチャンネル状態を報告する報告部１６０と、を含み得る。
【００３７】
以下、前記のように構成された本発明の一実施形態に係るＣＣＡ機能を提供する装置について詳しく説明する。
【００３８】
まず、いくつのシンボルごとに周波数ホッピングをするのかを現すＴＦＣによって少なくとも二つの移動平均ウィンドウが設定される。前記移動平均ウィンドウは互いに同じ時間周期を有しており、前記時間周期がＴＦＣによって異なって設定されることもある。
【００３９】
前記測定部１１０は、前記設定された少なくとも二つの移動平均ウィンドウを用いて各ウィンドウにて受信信号のエネルギーを測定することができ、前記検出部１２０は、前記測定されたエネルギーの差に基づいてピーク値を検出する。
【００４０】
このとき、前記測定部１１０は、前記設定された移動平均ウィンドウを用いて受信信号のエネルギーを測定したり、マルチバンドのいずれか一つの周波数バンドから受信信号のエネルギーを測定したりする。
【００４１】
前記判断部１３０は、前記検出されたピーク値の数を累積した後にＣＣＡ報告時間であるかを判断することができ、前記比較部１４０は、前記ＣＣＡ報告時間であるときに前記累積したピーク値の数を既設定された臨界値Ｋと比較することができる。
【００４２】
前記決定部１５０は、前記比較結果によってチャンネル状態がビジーであるか否かを決定し、前記報告部１６０は、前記決定されたチャンネル状態を前記ＭＡＣに報告することができる。すなわち、前記報告部１６０は、前記累積したピーク値の数が前記既設定された臨界値より大きければ、前記チャンネルが他の装置によって使用されているビジー状態であることを知らせるために、前記ＣＣＡ＿ＳＴＡＴＵＳ値を「１」に設定して前記ＭＡＣに報告する。
【００４３】
一方、前記報告部１６０は、前記累積したピーク値の数が前記既設定された臨界値以下であれば、前記チャンネルが他の装置によって使用されていないビジー状態でないことを知らせるために、前記ＣＣＡ＿ＳＴＡＴＵＳ値を「０」に設定して前記ＭＡＣに報告する。
【００４４】
本発明の実施形態は、コンピュータにより具現される多様な動作を実行するためのプログラム命令を含むコンピュータ読み取り可能な媒体を含む。前記媒体は、プログラム命令、ローカルデータファイル、ローカルデータ構造などを単独または組み合わせて含むこともできる。前記媒体およびプログラム命令は、本発明の目的のために特別に設計されて構成されたものでもよく、コンピュータソフトウェア分野の技術を有する当業者にとって公知であり使用可能なものであってもよい。コンピュータ読み取り可能な記録媒体の例としては、ハードディスク、フロッピー（登録商標）ディスクおよび磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。前記媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。
【００４５】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００４６】
【図１】本発明の一実施形態に係るＣＣＡ機能を提供する方法を示したフローチャートである。
【図２】本発明の一実施形態に係るピーク値を検出する原理を説明するための図である。
【図３】本発明の一実施形態に係るピーク値を検出する原理を説明するための図である。
【図４】本発明の一実施形態に係るピーク値を検出する原理を説明するための図である。
【図５】本発明の一実施形態に係るピーク値を検出する原理を説明するための図である。
【図６】本発明の一実施形態に係るピーク値を検出する原理を説明するための図である。
【図７】本発明の一実施形態に係るピーク値を検出する原理を説明するための図である。
【図８】本発明の一実施形態に係るピーク値を検出する原理を説明するための図である。
【図９】本発明の一実施形態に係るピーク値を検出する原理を説明するための図である。
【図１０】本発明の一実施形態に係るピーク値を検出する原理を説明するための図である。
【図１１】本発明の一実施形態に係るピーク値を検出する原理を説明するための図である。
【図１２】本発明の一実施形態に係るＣＣＡ機能を提供する装置を示す構成図である。
【符号の説明】
【００４７】
１２００  ＣＣＡ装置
１１０    測定部
１２０    検出部
１３０    判断部
１４０    比較部
１５０    決定部
１６０    報告部
【図１】
2008099232.tif 000003
【図２】
2008099232.tif 000004
【図３】
2008099232.tif 000005
【図４】
2008099232.tif 000006
【図５】
2008099232.tif 000007
【図６】
2008099232.tif 000008
【図７】
2008099232.tif 000009
【図８】
2008099232.tif 000010
【図９】
2008099232.tif 000011
【図１０】
2008099232.tif 000012
【図１１】
2008099232.tif 000013
【図１２】
2008099232.tif 000014